(57)【特許請求の範囲】
【請求項１】
光ファイバ心線とテンションメンバーとを両端が半円弧状に形成されると共に扁平な被覆材に埋設したフロア用のケーブル部と、
断面が略三角形のコーナ用のガイド部とを備え、
該ガイド部の底辺中央と前記ケーブル部の一側面中央とを連結片にて一体に連結し、
該連結片と前記被覆材と前記ガイド部とを可撓性材料で形成するとともに、
前記ガイド部を中空に形成し、該ガイド部の頂角部に内外に連通する開口部を設けて、ガイド部の左右に前記開口へ向けて傾斜するガイド片を形成し、前記ガイド片はケーブル部側からの押圧力によってコーナの角度に合わせて変形するように構成した
ことを特徴とするコーナ・フロア兼用光インドアケーブル。
【請求項２】
前記光ファイバ心線とテンションメンバーとは、前記ケーブル部の幅方向の中心線を除く部分に埋設されている
ことを特徴とする請求項１に記載のコーナ・フロア兼用光インドアケーブル。
【請求項３】
前記連結片は、前記ガイド部側が幅広に形成され、前記ケーブル部側へ向けて漸次幅狭に形成されている
ことを特徴とする請求項１または２に記載のコーナ・フロア兼用光インドアケーブル。
【請求項４】
前記ケーブル部の一側面中央に、切り込み溝がケーブル部の長さ方向に沿って設けられ、前記連結片はこの切り込み溝に連結されている
ことを特徴とする請求項１〜３のいずれかに記載のコーナ・フロア兼用光インドアケーブル。
【請求項５】
前記ケーブル部の他側面中央に、切り込み溝がケーブル部の長さ方向に沿って設けられている
ことを特徴とする請求項１〜４のいずれかに記載のコーナ・フロア兼用光インドアケーブル。 
【発明の詳細な説明】
【技術分野】
【０００１】
本発明は、光ファイバを屋内に配線するための光インドアケーブルに係り、詳しくは、壁面コーナとフロアのいずれにも用いることのできるコーナとフロア兼用型の光インドアケーブルに関する。
【背景技術】
【０００２】
光ケーブルや電線などを屋内に配線するに際してむき出しで配線されている場合、電線などの損傷を防止するために古くから電線などを収納する合成樹脂製の枠体の保護カバーをしたものなどが知られている。また、光ケーブルを合成樹脂で被覆したものなども知られている（例えば、特許文献１）。
【０００３】
さらに、光ケーブルを方形の金属枠内に閉じ込めて、屋内に配線するのも知られている。そして、このような光ケーブルや電線を配線する場合は、壁面や床面に釘うちによって固定する方法や保護枠の底面に接着剤などを塗布したものなどが利用されている（例えば、特許文献２参照）。
【特許文献１】実開昭６０−９６６１２号公報第１頁
【特許文献２】実開昭６２−１３１３０８号公報第１頁
【発明の開示】
【発明が解決しようとする課題】
【０００４】
これらの特許文献１，２は平板状であるために、フロアや壁等の平面への配線には適しているが、壁と壁との突き合わせ部分、壁と天井との突き合わせ部分、あるいは壁とフロアとの突き合わせ部分であるコーナへの配線には収まりも作業性もわるく、適したものではなかった。しかもケーブルとコーナとの間に塵埃が溜まる等の不具合がある。さらに、昨今はデザイン性に富んだ室内が多く、上記した室内のコーナも直角以外に鋭角や鈍角のものがあるが、上記特許文献１，２では適合性の極めてわるいものとなっていた。
また、屋内の壁面や床面に接着テープ、ステップルなどで固着するために壁や床などを傷つけたり、接着剤の痕が残ったりして、配線を除去したときにはあまり好ましいものではなかった。特に、部屋内の壁面における傷跡は表面の補修を必要とするものとなっていた。
【０００５】
本発明は、かかる実情を背景にしてなされたもので、その目的とするところは、室内のコーナとフロアのそれぞれに合致した配線はもとより、これらコーナとフロアに連続した配線を良好に行うことができ、しかも壁面や床面などの損傷を最小限に抑えることのできるコーナ・フロア兼用の光インドアケーブルを提供することを目的としている。
【０００６】
上述の目的を達成するため、本発明のコーナ・フロア兼用光インドアケーブルは、光ファイバ心線とテンションメンバーとを両端が半円弧状に形成されると共に扁平な被覆材に埋設したフロア用のケーブル部と、断面が略三角形のコーナ用のガイド部とを備え、該ガイド部の底辺中央と前記ケーブル部の一側面中央とを連結片にて一体に連結し、該連結片と前記被覆材と前記ガイド部とを可撓性材料で形成するとともに、前記ガイド部を中空に形成し、該ガイド部の頂角部に内外に連通する開口部を設けて、ガイド部の左右に前記開口へ向けて傾斜するガイド片を形成し、前記ガイド片はケーブル部側からの押圧力によってコーナの角度に合わせて変形するように構成したことを特徴としている。
【０００７】
前記光ファイバ心線とテンションメンバーとは、前記ケーブル部の幅方向の中心線を除く部分に埋設することが望ましい。連結片は、前記ガイド部側を幅広に形成し、前記ケーブル部側へ向けて漸次幅狭となるように形成するとよい。
また、ケーブル部の一側面中央に、切り込み溝をケーブル部の長さ方向に沿って設け、前記連結片をこの切り込み溝に連結することもでき、さらにケーブル部の他側面中央に、切り込み溝をケーブル部の長さ方向に沿って設けてもよい。
【０００８】
本発明の光インドアケーブルを、壁と壁とが突き合うコーナや、壁と天井とが突き合うコーナ、壁とフロアとが突き合うコーナへ配線する場合に、フロア用のケーブル部とコーナ用のガイド部とを一体に連続させたまま、ガイド部の頂角部をコーナの隅部にあてて位置決めしたのち、例えば、ケーブル部の他側面側から鋲を差し込み、この鋲をケーブル部と連結片とに貫通させ、さらにその先端をガイド部の中空部より室内側のコーナに差し込むことにより、光インドアケーブルをコーナに固定する。
したがって、鋲の差し込み位置となるケーブル部の幅方向の中心線位置から、光ファイバ心線とテンションメンバーとを避けて埋設することにより、これらを鋲で損傷しないで済む、コーナへの固定は、鋲止め以外に、ガイド部のガイド片外面に接着剤を塗布し、この接着剤をコーナの壁面やフロアあるいは天井に貼着して行うこともできる。
【０００９】
ガイド部の両ガイド片がなす角度は、直角もしくは鋭角または鈍角に形成される。またケーブル部の被覆材は、その両端を、ガイド部の両ガイド片の傾斜角度の延長線上に略位置させることが好ましくと、このような設定により、本発明の光インドアケーブルを室内のコーナに配線した場合に、コーナを構成する壁や天井あるいはフロアとの間に隙間がなくなって見栄えに優れ、塵埃の侵入がない。
【００１０】
また、室内のコーナが直角以外の鋭角または鈍角に形成されている場合に、可撓性材料で形成されたガイド部の両ガイド片がコーナの鋭角や鈍角形状に沿って変形するため、このような直角以外の角度のコーナにも本発明の光インドアケーブルを配線することが可能となる。
【００１１】
本発明の光インドアケーブルをフロアに布設する場合には、連結片のケーブル部側端を分断して、ガイド部と連結片とを取り除いたケーブル部のみを使用する。連結片のケーブル部側端は、連結片の中で最も幅狭に形成されているため、分断作業が容易に行えるとともに、連結片のケーブル部側端が分断されることにより、ケーブル部の扁平形状が維持される。
【００１２】
また、光インドアケーブルの被覆材とガイド部と連結片とを可撓性材料で形成すること、ガイド部を中空に形成するとともに、中空部が頂角部の開口部を通して外部に連通すること、連結片の両側に空隙が形成されること、等が相俟って光インドアケーブルが厚み方向（ガイド部とケーブル部方向）に大きく撓らせることができるようになる。したがって、光インドアケーブルをコーナ−フロア−コーナといった異なる方向に連続して布設する場合に、その曲率を極力小さくして壁面や床面，天井面に沿わせた出っ張りのない美麗な処理を施すことができる。
【発明の効果】
【００１３】
本発明のコーナ・フロア兼用光インドアケーブルによれば、室内のコーナには、断面三角形のガイド部を用いてコーナ形状に合致した体裁のよい配線を行うことができ、しかも光インドアケーブルがコーナ形状に合致しているために作業性にも優れている。さらにフロアへの配線には、ガイド部と連結片とを分離して扁平なケーブル部のみを単品で使用することができるので、布設時の取り回しが容易であるとともに、布設後に邪魔になりにくく足等も引っ掛けにくいものとなる。
また、ガイド部内の中空部を頂角部の開口部を通して外部に連通させ、ガイド部の左右にフレキシブルなガイド片を形成したことにより、直角以外の角度を持つコーナへの配線も良好に行える。
【００１４】
さらに、光ファイバ心線とテンションメンバーとを、ケーブル部の幅方向の中心線を避けて被覆材に埋設することから、光インドアケーブルを室内のコーナへ鋲打ちで固定する場合にも、鋲が光ファイバ心線やテンションメンバーに当たらないで済む。
また、連結片のガイド部側を幅広に形成し、ケーブル部側へ向かうにしたがって幅狭となるように形成したことにより、ケーブル部とガイド部とを分離する際には、連結片のケーブル部側端が確実に分断されので、分断作業が容易に行えるとともに、ケーブル部に余分な形状が残らず、扁平形状が維持される。しかも、ケーブル部の一側面中央に切り込み溝を設けて、連結片をこの切り込み溝に連結することにより、連結片のケーブル部側端の分断が一層確実に行えるようになる。
【００１５】
さらに、光インドアケーブルをケーブル部方向とガイド部方向とへ大きく撓ませることができるようになるので、ケーブル部とガイド部との分離が容易に行えるほか、光インドアケーブルを、コーナ−フロア−コーナのように異なる方向に連続して布設する場合にも、光インドアケーブルを小さい曲率で撓らせるので、外観を美麗に処理でき、布設工事を容易にするとともに、光ファイバ心線やテンションメンバーを傷めることが少ない。
【発明を実施するための最良の形態】
【００１６】
以下，本発明のコーナ・フロア兼用の光インドアケーブルの実施例を図面に基づいて説明する。
図中、図１は本発明の一実施例を示す光インドアケーブルの斜視図、図２は同じく一実施例の光インドアケーブルを撓み変形させた平面図、図３〜図５は同じく一実施例の光インドアケーブルを室内のコーナに取り付ける状態を説明する断面平面図で、図３は光インドアケーブルを直角のコーナに取り付ける場合の断面平面図、図４は光インドアケーブルを鋭角のコーナに取り付ける場合の断面平面図、図５はコーナが鈍角のコーナに取り付ける場合の断面平面図、図６は光インドアケーブルをフロアに取り付ける状態の断面平面図、図７は光インドアケーブルの各種バリエーションを示す断面正面図で、このうち図７の（ａ）は本発明の一実施例を示す光インドアケーブルの断面正面図、図７の（ｂ）〜（ｈ）は、それぞれ本発明の他の実施例を示す光インドアケーブルの断面正面図である。
【００１７】
図１〜図５と図７（ａ）は本発明の一実施例を示すもので、コーナ・フロア兼用の光インドアケーブル１０は、フロア用のケーブル部１１とコーナ用のガイド部１２とを連結片１３で一体に連結して構成されており、ガイド部１２は断面略三角形に形成されるとともに、光インドアケーブル１０の全体が、ガイド部１２と略相似形の三角形に形成されている。
【００１８】
ケーブル部１１は、扁平な被覆材１４の厚み方向の中心線ＣＬを挟んで、テンションメンバー１６，１６と光ファイバ心線１５，１５とを内外横方向一列に埋設して構成されている。
ガイド部１２は、その内部に中空部１７を形成し、該ガイド部１２の頂角部に中空部１７を外部に連通させる開口部１７ａを設けることにより、ガイド部１２の左右に開口部１７ａへ向けて傾斜するガイド片１２ａ，１２ａを均等な厚さに形成している。
【００１９】
ケーブル部１１の被覆材１４とガイド部１２及び連結片１３は、例えば難燃性ポリエチレン樹脂等の可撓性材料によって一体に成形されており、連結片１３を挟んだ両側の被覆材１４とガイド部１２との間には、空隙２０，２０が設定されている。
厚み方向の中心線ＣＬが位置する被覆材１４の一側面側中央と他側面側の中央には、断面Ｖ字状の切り込み溝２１ａ，２１ｂがケーブル部１１の長さ方向に沿って設けられており、前記連結片１３は、一側面側中央に凹設された一方の切り込み溝２１ａに連結されている。
【００２０】
この連結片１３は、ガイド部１２の底辺中央とケーブル部１１の一側面中央とを連結するように設けられており、ガイド部１２側が最も幅広で、このガイド部１２側からケーブル部１１側へ向けて漸次幅狭となるようテーパ状に傾斜している。したがって、ケーブル部１１とガイド部１２とを分離しようと連結片１３に外力を加えた場合に、一側面側の切り込み溝２１ａに連結された最も幅狭なケーブル部側端１３ａが切り離されるようになっている。
【００２１】
ガイド部１２の頂角部の角度、すなわち本実施例のガイド片１２ａ，１２ａがなす角度は鋭角に設定されており、光インドアケーブル１０を後述する室内のコーナ３０に布設する際には、ケーブル部１１側からの押圧力によってガイド片１２ａ，１２ａがコーナ３０へ直角に押しつけられるようにしている。
ガイド部１２は、前述のように可撓性部材で形成されており、その内部に中空部１７を持ち、さらに左右のガイド片１２ａ，１２ａを開口部１７ａが分断しているため、ケーブル部１１側からの押圧力によってガイド片１２ａ，１２ａがコーナ３０へ角度に合わせて変形する。
【００２２】
また、ケーブル部１１の被覆材１４は、その両端が半円弧状に形成され、且つ被覆材１４の長さは、ガイド部１２のガイド片１２ａ，１２ａの傾斜角度の延長線上に略位置するようになっていて、光インドアケーブル１０をコーナ３０に布設した際には、被覆材１４の両端がコーナ３０を構成する２つ壁面３１，３１に隙間なく接触するようにしている。
【００２３】
図３，４，５は、このように構成される本実施例の光インドアケーブル１０を、２つの壁面３１，３１がなすコーナ３０に鋲３２を用いて布設した状態を示しており、このうち、図３はコーナ３０が直角、図４はコーナ３０が鋭角、図５はコーナ３０が鈍角な場合を示している。
図３〜図５のいずれの場合も、ガイド部１２のガイド片１２ａ，１２ａをコーナ３０の隅部にあて、該ガイド片１２ａ，１２ａをコーナ３０の角度に変形させてこの状態を保ちつつ、ケーブル部１１の他側面側から、テンションメンバー１６，１６や光ファイバ心線１５，１５が位置しない厚み方向の中心線ＣＬに鋲３２を差し込み、該鋲３２をケーブル部１１の被覆材１４と連結片１３とに貫通させ、さらにその先端をガイド部１２の中空部よりコーナ３０に差し込むことにより、光インドアケーブル１０がコーナ３０に固定される。
【００２４】
ケーブル部１１の被覆材１４は、前述のように、その長さがガイド部１２のガイド片１２ａ，１２ａの傾斜角度の延長線上に略位置するように設定されているため、コーナ３０への取り付け状態において、被覆材１４の両端が接触しており、見た目にも美麗であるばかりか、コーナ３０とガイド片１２ａ，１２ａとの間に塵埃が侵入しない。
【００２５】
光インドアケーブル１０は、このようにして方向を変えながらコーナ３０やフロアに連続して布設されるため、光インドアケーブル１０に厚み方向（ケーブル部１１とガイド部１２方向）の曲げ力が作用するが、被覆材１４とガイド部１２と連結片１３とを可撓性材料で形成すること、ガイド部１３に中空部１７と開口部１７ａとを設けて、ガイド部１２にガイド片１２ａ，１２ａを分断して設けること、連結片１３の両側に空隙２０，２０を設定すること等が相俟って、図１の矢印に示すように、光インドアケーブル１０が厚み方向に大きく撓らせることができるようになる。
これにより、光インドアケーブル１０を、室内の壁面や床面，天井面といった縦や横，あるいは斜めへ大きく方向を変えながら連続して布設するような場合に、図２に示すように、方向変換のための曲率を極力小さくできるので、壁面や床面，天井面に沿った余分な出っ張りの少ない美麗な外観処理が施せる。さらに、光インドアケーブル１０が容易に撓むので布設作業にムリがなく、しかもテンションメンバー１６，１６や光ファイバ心線１５，１５を傷めることが少ない。
【００２６】
図６は、本実施例の光インドアケーブル１０をフロアに布設する状態を示しており、図１及び図７（ａ）に示す光インドアケーブル１０の連結片１３に分断用の外力をかけると、連結片１３の最も幅狭なケーブル部側端１３ａが切り離され、単品状態となったケーブル部１１を鋲等でフロア３３に布設する。ケーブル部１１は単品で且つ扁平形状であるため、フロア３３へ布設する際の取り回しが容易であり、また布設後の突出量も少ないので、室内の歩行者が足を引っ掛ける等の虞も少ない。
【００２７】
図７の（ｂ）（ｃ）（ｄ）（ｅ）（ｆ）（ｇ）（ｈ）は、それぞれ本発明の他の実施例を示すもので、上記の実施例とは、テンションメンバー１６，１６や光ファイバ心線１５，１５の埋設構造、被覆材１４の両端の形状、ガイド部１２のガイド片１２ａ，１２ａや中空部１７の形状等で異なっているが、本発明の目的を達成するための基本構造としては上記の一実施例と共通している。
【図面の簡単な説明】
【００２８】
【図１】本発明の一実施例を示す光インドアケーブルの斜視図である。
【図２】本発明の一実施例を示す光インドアケーブルを撓み変形させた状態の平面図である。
【図３】本発明の一実施例を示す光インドアケーブルを直角のコーナに取り付ける場合の断面平面図である。
【図４】本発明の一実施例を示す光インドアケーブルを鋭角のコーナに取り付ける場合の断面平面図である。
【図５】本発明の一実施例を示す光インドアケーブルを鈍角のコーナに取り付ける場合の断面平面図である。
【図６】本発明の一実施例を示す光インドアケーブルをフロアに取り付ける場合の断面平面図である。
【図７】本発明の光インドアケーブルの各種バリエーションを示す断面正面図である。
【符号の説明】
【００２９】
１０…コーナ・フロア兼用の光インドアケーブル
１１…フロア用のケーブル部
１２…コーナ用のガイド部
１３…連結片
１３ａ…連結片１３のケーブル部側端
１４…扁平な被覆材
１５…光ファイバ心線
１６…テンションメンバー
１７…中空部
１７…開口部
２０…空隙
２１…切り込み溝
３０…コーナ
３１…壁面
３２…鋲
３３…フロア
ＣＬ…被覆材１４の厚み方向の中心線
【図１】
0004785805.tif 000002
【図２】
0004785805.tif 000003
【図３】
0004785805.tif 000004
【図４】
0004785805.tif 000005
【図５】
0004785805.tif 000006
【図６】
0004785805.tif 000007
【図７】
0004785805.tif 000008